(57)【要約】【課題】フレキシブル配線をコネクタに接続する作業工程の困難性を解消して、作業効率の向上を図ることのできる端末装置を提供すること。【解決手段】この端末装置は、フレキシブル配線６０と、フレキシブル配線６０の一端が接続される第１部品５４と、フレキシブル配線６０の他端６１が着脱可能に接続されるコネクタ５５を有する第２部品５２と、装置のフレーム面７５に形成され、フレキシブル配線６０をフレーム面７５に沿って配置する場合に、フレキシブル配線６０に当接してフレキシブル配線６０をフレーム面７５から浮き上がらせるリブ８０とを具備する構成を採る。【選択図】図４
2013229804.tif 000002
【特許請求の範囲】
【請求項１】
フレキシブル配線と、
前記フレキシブル配線の一端が接続される第１部品と、
前記フレキシブル配線の他端が着脱可能に接続されるコネクタを有する第２部品と、
装置のフレーム面に形成され、前記フレキシブル配線を前記フレーム面に沿って配置する場合に、前記フレキシブル配線に当接して前記フレキシブル配線を前記フレーム面から浮き上がらせるリブと、
を具備する端末装置。
【請求項２】
前記フレキシブル配線は、折り曲げられて前記コネクタに接続され、
前記リブは、前記フレキシブル配線が前記コネクタに接続された状態においても、前記フレキシブル配線に当接して前記フレキシブル配線を前記フレーム面から浮き上がらせている、
請求項１記載の端末装置。
【請求項３】
前記リブの端面には、前記フレキシブル配線を前記フレーム面に沿って配置する場合に、前記フレキシブル配線の前記他端に近い側が高くなる傾斜が形成されている、
請求項１記載の端末装置。
【請求項４】
前記フレーム面とは筐体の内面であり、
前記リブの短い方の幅長は、前記筐体の肉厚の３／５以下である、
請求項１記載の端末装置。
【請求項５】
前記リブの傾斜は段差なく前記フレーム面に連なっている、
請求項３記載の端末装置。
【請求項６】
前記リブは、前記フレキシブル配線における配線パターンの印刷領域を外れて接触する位置に形成されている、
請求項１記載の端末装置。
【請求項７】
前記フレキシブル配線の前記リブに接触する部位には、保護シートが貼り付けられている、
請求項１記載の端末装置。
【請求項８】
前記フレキシブル配線は、配線経路が途中で曲がる平面形状をしており、
前記リブは、前記フレキシブル配線における配線経路の曲がり箇所に対応する位置に形成されている、
請求項２記載の端末装置。
【発明の詳細な説明】
【技術分野】
【０００１】
本発明は、内部にフレキシブル配線が設けられた端末装置に関する。
【背景技術】
【０００２】
一般に、離れた２つの部品を装置内部で電気的に接続する場合に、フレキシブル配線（ＦＰＣ（flexible print circuit）とも呼ばれる）が用いられることがある。
【０００３】
フレキシブル配線は、例えば配線端子のコネクタ挿入方向がフレキシブル配線の延長線上にない場合等に、途中で折り曲げられて２つの部品間を渡るように設計されるのが通常である（例えば、特許文献１、２を参照）。途中に折り曲げ部分があることで、２つの部品間の距離に変化が生じた場合でも、配線余長を吸収することができ、また、衝撃による影響を軽減することができる。
【先行技術文献】
【特許文献】
【０００４】
【特許文献１】特開平１０−２８３７４０号公報
【特許文献２】特開２００２−３２３７２４号公報
【発明の概要】
【発明が解決しようとする課題】
【０００５】
装置の組立工程においては、一端が接続済みのフレキシブル配線に対して、このフレキシブル配線を折り曲げ、その他端をコネクタに接続する作業工程が必要となることがある。このような作業工程においては、把持具（例えばプラスチック製のピンセット）によりフレキシブル配線の他端をつかんでコネクタの位置まで移動させることになる。
【０００６】
しかしながら、このような作業工程においては、フレキシブル配線の他端側が筐体の内面等に密着した状態にあると、フレキシブル配線をつかむことが難しくなって作業効率が低下するという課題が生じる。また、密着していなくても、フレキシブル配線と筐体面との間にピンセットの先端より大きな隙間がないと、フレキシブル配線を単純につかみ上げることが難しくなり作業効率が低下するという課題が生じる。
【０００７】
本発明の目的は、フレキシブル配線をコネクタに接続する作業工程の困難性を解消して、作業効率の向上を図ることのできる端末装置を提供することである。
【課題を解決するための手段】
【０００８】
本発明の一態様に係る端末装置は、フレキシブル配線と、前記フレキシブル配線の一端が接続される第１部品と、前記フレキシブル配線の他端が着脱可能に接続されるコネクタを有する第２部品と、装置のフレーム面に形成され、前記フレキシブル配線を前記フレーム面に沿って配置する場合に、前記フレキシブル配線に当接して前記フレキシブル配線を前記フレーム面から浮き上がらせるリブと、を具備する構成を採る。
【発明の効果】
【０００９】
本発明によれば、フレキシブル配線をコネクタに接続する作業工程において、リブによりフレキシブル配線とフレーム面との間に隙間が設けられて、作業効率の向上を図ることができる。
【図面の簡単な説明】
【００１０】
【図１】本発明の実施の形態の端末装置の全体を示す分解斜視図
【図２】フレキシブル配線の周辺を示す分離斜視図
【図３】下筐体の内底面に形成された傾斜リブの平面図（Ａ）および縦断面図（Ｂ）
【図４】組立工程において固定プレートを下筐体に取り付けた状態を示す斜視図
【図５】組立工程において固定プレートを下筐体に取り付けた状態を示す平面図
【図６】組立工程において固定プレートを下筐体に取り付けた状態を示す側面図
【図７】組立工程においてフレキシブル配線をコネクタに接続した状態を示す斜視図
【図８】組立工程においてフレキシブル配線をコネクタに接続した状態を示す平面図
【図９】組立工程においてフレキシブル配線をコネクタに接続した状態を示す側面図
【図１０】傾斜リブおよびフレキシブル配線の変形例１を示す平面図
【図１１】傾斜リブおよびフレキシブル配線の変形例１を示す縦断面図
【図１２】傾斜リブおよびフレキシブル配線の変形例２を示す平面図
【図１３】傾斜リブおよびフレキシブル配線の変形例３を示す平面図
【図１４】傾斜リブおよびフレキシブル配線の変形例４を示す平面図
【図１５】傾斜リブおよびフレキシブル配線の変形例５を示す平面図
【発明を実施するための形態】
【００１１】
以下、本発明の各実施の形態について図面を参照して詳細に説明する。
【００１２】
［全体構成］
図１は、本発明の実施の形態の端末装置の全体を示す分解斜視図、図２は、フレキシブル配線を有する固定プレートの周辺を示す分離斜視図である。
【００１３】
この実施の形態の端末装置は、いわゆるタブレット端末と呼ばれる装置であり、図１に示すように、表示パネル１０と、上筐体３０と、基板５２（第２部品に相当）および固定プレート５４（第１部品に相当）を含む内蔵部品と、下筐体７０とを備えている。
【００１４】
表示パネル１０は、上面の保護パネルと、画像表示が可能な表示部（液晶ディスプレイまたは有機ＥＬ（Electro Luminescence）ディスプレイなど）と、タッチセンサとを備えている。
【００１５】
上筐体３０は、下筐体７０に固定されて表示パネル１０を保持するフレーム部材である。
【００１６】
内蔵部品には、上記の基板５２、および、固定プレート５４に加えて、図示略の様々な部品が含まれる。
【００１７】
下筐体７０は、内部に内蔵部品を収容する装置筐体であり、上方の開口部に上筐体および表示パネルが固定される。
【００１８】
［フレキシブル配線および傾斜リブの構造］
【００１９】
この実施の形態の端末装置には、下筐体７０の側面（例えば上側面）にサイドキーが取り付けられる。そして、図２に示すように、下筐体７０の当該箇所の内側面には、サイドキーの端部７２を露出した固定面７３が設けられている。
【００２０】
上述の固定プレート５４は、上記の固定面７３に対向および近接した状態で下筐体７０に取り付けられる。具体的には、固定プレート５４に設けられた係止爪５４ａが、固定面７３の近傍に設けられた係止溝７４に係止されて、固定プレート５４が下筐体７０に取り付けられる。
【００２１】
固定プレート５４には、フレキシブル基板（ＦＰＣ）が接着され、このフレキシブル基板にはサイドキーの複数の端部７２の圧力をそれぞれ検出する複数の検出スイッチが実装されている。また、固定プレート５４には、図２に示すように、その一部からフレキシブル配線６０が延出している。
【００２２】
フレキシブル配線６０は、薄い帯状のＦＰＣであり、ほぼ一定の幅で、長手方向の途中で配線経路が所定角度（例えば９０°）曲がった平面形状をしている。
【００２３】
フレキシブル配線６０は、その根元側（第１の端部に相当）が固定プレート５４の縁部に接続されている。また、フレキシブル配線６０の先端部（第２の端部に相当）には、配線の導電部が露出された平面状のコネクタ端子６１が形成されている。なお、固定プレート５４に接着されているフレキシブル基板とフレキシブル配線６０とは一体的に形成されている。
【００２４】
図３は、下筐体の内底面に形成される傾斜リブの平面図（Ａ）と縦断面図（Ｂ）とを示す。
【００２５】
図２に示すように、下筐体７０の内底面（フレーム面に相当）７５には、フレキシブル配線６０が重なる位置に、傾斜リブ８０が形成されている。
【００２６】
傾斜リブ８０は、図３（Ａ）,（Ｂ）に示すように、端面に緩やかな傾斜が形成された丈の低いリブである。傾斜リブ８０の幅ｔは、下筐体７０の厚みＴに対して、次式（１）を満たすように設計されている。式（１）は、下筐体７０の外面における傾斜リブ８０の反対の箇所にヒケを生じさせない条件式である。
ｔ  ≦  ３／５・Ｔ      ・・・（１）
【００２７】
傾斜リブ８０の端面には、フレキシブル配線６０の先端に近い側が高く、フレキシブル配線６０の先端から遠い側が低くなる傾斜が形成されている。この傾斜は、段差なく下筐体７０の内底面７５に連なっている。この傾斜にフレキシブル配線６０が乗り上げることで、フレキシブル配線６０を傾斜面に沿わせて、フレキシブル配線６０の先端側を大きく内底面７５より浮き上がらせることができる。
【００２８】
傾斜リブ８０の丈は、フレキシブル配線６０の先端側を、プラスチックピンセットを容易に差し込める程度に浮き上がらせる程度の高さに設定されている。フレキシブル配線６０は傾斜リブ８０の傾斜面に沿った向きに浮き上がるので（図６参照）、傾斜リブ８０をフレキシブル配線６０の中盤部に近い位置に設けることで、傾斜リブ８０の丈を低くすることができる。
【００２９】
［フレキシブル配線および傾斜リブの作用］
端末装置の組立工程において、固定プレート５４が下筐体７０に取り付けられる前、フレキシブル配線６０は、図２に示すように、張りをもって平面状に広がっている。したがって、傾斜リブ８０が無ければ、固定プレート５４を下筐体７０に取り付けたときに、フレキシブル配線６０は下筐体７０の内底面７５に密着或いは少ない隙間で近接した状態になってしまう。
【００３０】
図４〜図６には、組立工程において固定プレートを下筐体に取り付けた状態の斜視図、平面図および側面図をそれぞれ示す。
【００３１】
しかしながら、本実施の形態では、傾斜リブ８０が備わっている。そのため、図４〜図６に示すように、固定プレート５４を下筐体７０に取り付けると、フレキシブル配線６０の一部が傾斜リブ８０に乗り上げることで、フレキシブル配線６０の先端側が内底面７５から浮き上がった状態となる。
【００３２】
図５に示すように、傾斜リブ８０は、フレキシブル配線６０の中盤部（配線経路が９０°曲がっている部分）のやや先端寄りの部位に接触する。よって、フレキシブル配線６０は、図６に示すように、傾斜リブ８０の傾斜面に従って、その先端側が傾斜した向きに浮き上がる。
【００３３】
このような構成により、組立工程において、固定プレート５４を下筐体７０に取り付けたときに、フレキシブル配線６０の先端側をプラスチックピンセットで容易につまむことが可能となる。
【００３４】
図７〜図９には、組立工程においてフレキシブル配線をコネクタに接続した状態の斜視図、平面図および側面図をそれぞれ示す。
【００３５】
組立工程において固定プレート５４を下筐体７０に取り付けた後には、図７〜図９に示すように、作業者は、フレキシブル配線６０を折り曲げて、その先端側をメイン基板５２のコネクタ５５の方へ向ける。そして、作業者は、フレキシブル配線６０のコネクタ端子６１をメイン基板５２のコネクタ５５に差し込んで接続する。
【００３６】
以上のように、この実施の形態の端末装置によれば、組立工程において、フレキシブル配線６０が下筐体７０の内底面に密接または少ない隙間で近接してしまうことが防止される。よって、フレキシブル配線６０の先端部をプラスチックピンセットでつまんでコネクタ５５に接続する作業を容易に行うことが可能となる。
【００３７】
また、図８および図９に示すように、傾斜リブ８０は、フレキシブル配線６０がコネクタ接続された後も、フレキシブル配線６０の中盤部に接触して、フレキシブル配線６０の根元側から中盤部にかけた部分を下筐体７０の内底面７５から浮き上がらせる。このような構成により、フレキシブル配線６０と下筐体７０との間の熱の伝導性を低くすることができる。よって、下筐体７０に外部等から熱が加わった場合でも、この熱がフレキシブル配線６０に伝わって悪影響を及ぼすことが防止される。
【００３８】
（変形例１）
図１０および図１１は、傾斜リブおよびフレキシブル配線の変形例１を示す平面図および側面図である。
【００３９】
変形例１は、傾斜リブ８０Ａ，８０Ａを、フレキシブル配線６０Ａの配線パターン印刷領域６２を避ける位置に設けた例である。また、変形例１では、２つの傾斜リブ８０Ａ，８０Ａを設けて、２つの傾斜リブ８０Ａ，８０Ａをフレキシブル配線６０Ａの両脇にそれぞれ接触させている。
【００４０】
このような構成とすることで、固定プレート５４を下筐体７０に取り付けたときに、傾斜リブ８０Ａ，８０Ａがフレキシブル配線６０Ａの配線を傷つけてしまうといった事態を防ぐことができる。
【００４１】
また、フレキシブル配線６０Ａがコネクタ接続された後、傾斜リブ８０Ａ，８０Ａがフレキシブル配線６０Ａに接触し続ける際にも、傾斜リブ８０Ａ，８０Ａによりフレキシブル配線６０Ａの配線を傷つけてしまうといった事態を防ぐことができる。
【００４２】
また、傾斜リブ８０Ａ，８０Ａを２つ設けて、フレキシブル配線６０Ａの両脇に接触させているので、図１１に示すように、フレキシブル配線６０Ａの先端を確実に内底面７５から浮き上がらせることが可能になっている。
【００４３】
（変形例２）
図１２は、傾斜リブおよびフレキシブル配線の変形例２を示す平面図である。
【００４４】
変形例２は、傾斜リブ８０Ｂ，８０Ｂを、フレキシブル配線６０Ａの両脇にはみ出す大きさにしたものである。
【００４５】
このような傾斜リブ８０Ｂ，８０Ｂを採用しても、変形例１と同様に、フレキシブル配線６０Ａを下筐体７０の内底面７５から浮き上がらせることができる。また、傾斜リブ８０Ｂ，８０Ｂを幅広に形成することで、フレキシブル配線６０Ａが幅方向へずれるように移動した場合でも、傾斜リブ８０Ｂ，８０Ｂによる引っ掛かりを小さくすることができる。
【００４６】
（変形例３）
図１３は、傾斜リブおよびフレキシブル配線の変形例３を示す平面図である。
【００４７】
変形例３は、傾斜リブ８０Ｃをフレキシブル配線６０Ａの先端に近い側に設けた例である。よって、変形例３では、フレキシブル配線６０Ａをコネクタ接続した後には、傾斜リブ８０Ｃとフレキシブル配線６０Ａとは接触しない。
【００４８】
このような傾斜リブ８０Ｃを採用した場合でも、固定プレート５４を下筐体７０に取り付けたときに、フレキシブル配線６０Ａの先端を下筐体７０の内底面７５より浮き上がらせることができる。なお、このような配置で傾斜リブ８０Ｃを形成する場合には、レキシブル配線６０Ａと下筐体の内底面７５との隙間を大きく確保するために、傾斜リブ８０Ｃの丈を高くするとよい。
【００４９】
（変形例４）
図１４は、傾斜リブおよびフレキシブル配線の変形例４を示す平面図である。
【００５０】
変形例４は、フレキシブル配線６０Ｂとして、傾斜リブ８０に接触する部位に保護シート６３を貼り付けた例である。
【００５１】
保護シート６３としては、例えば、ＰＥＴ（ポリエチレンテレフタレート）シートなどの樹脂シート、電波吸収用のシールド部材などを適用できる。
【００５２】
このような構成により、傾斜リブ８０によりフレキシブル配線６０Ｂの配線が傷付けられてしまうことを防止できる。
【００５３】
（変形例５）
図１５は、傾斜リブおよびフレキシブル配線の変形例５を示す平面図である。
【００５４】
変形例５は、幅広（例えば３０ｍｍ〜５０ｍｍ等）のフレキシブル配線６０Ｃに対応させて、複数の傾斜リブ８０Ｄをフレキシブル配線６０Ｃの幅方向に並列させて形成した例である。
【００５５】
このように、フレキシブル配線６０Ｃの幅方向の複数の箇所に傾斜リブ８０Ｄが接触することで、幅広のフレキシブル配線６０Ｃであっても、その先端部を下筐体７０の内底面７５から確実に浮き上がらせることができる。
【００５６】
また、複数の傾斜リブ８０Ｄを並列させて形成することで、個々の傾斜リブ８０Ｄの幅は小さくできるので、傾斜リブ８０Ｄによって下筐体７０の外面にヒケが生じることを防止できる。
【００５７】
以上、本発明の各実施の形態について説明した。
【００５８】
なお、上記実施の形態では、フレキシブル配線が少ない隙間で近接してしまうのを防ぐフレーム面として、下筐体７０の内底面７５が適用された構成を例にとって説明した。しかしながら、このようなフレーム面は、下筐体７０の内側面、上筐体３０の任意の面など、様々な面に変更可能である。
【００５９】
また、上記実施の形態では、フレキシブル配線に接触してフレキシブル配線を浮き上がらせるリブとして、上面に傾斜を有するリブを例にとって説明したが、リブの丈を高く形成するのであれば、このような傾斜は無くてもよい。
【００６０】
また、上記実施の形態では、フレキシブル配線として中盤部で９０°曲げられた平面形状のものを例にとって説明したが、このような曲がりのないフレキシブル配線であっても本発明を同様に適用することができる。
【００６１】
また、上記実施の形態では、フレキシブル配線が接続される第１部品および第２部品として、固定プレート５４およびメイン基板５２を採用した構成を例にとって説明したが、これらの部品は様々に変更可能である。
【００６２】
また、上記実施の形態では、タブレット端末に本発明を適用した構成を例にとって説明したが、携帯電話機、音楽プレーヤー、ノート型コンピュータなどの端末装置にも本発明を適用することもできる。
【産業上の利用可能性】
【００６３】
本発明は、例えば、タブレット端末と呼ばれる端末装置など、内部にフレキシブル配線を備えた端末装置に適用できる。
【符号の説明】
【００６４】
１０  表示パネル
５２  メイン基板
５４  固定プレート
５５  コネクタ
６０、６０Ａ、６０Ｂ、６０Ｃ  フレキシブル配線
６１  コネクタ端子
６２  配線パターン印刷領域
６３  保護シート
７０  下筐体
７５  内底面
８０、８０Ａ、８０Ｂ、８０Ｃ、８０Ｄ  傾斜リブ
【図１】
2013229804.tif 000003
【図２】
2013229804.tif 000004
【図３】
2013229804.tif 000005
【図４】
2013229804.tif 000006
【図５】
2013229804.tif 000007
【図６】
2013229804.tif 000008
【図７】
2013229804.tif 000009
【図８】
2013229804.tif 000010
【図９】
2013229804.tif 000011
【図１０】
2013229804.tif 000012
【図１１】
2013229804.tif 000013
【図１２】
2013229804.tif 000014
【図１３】
2013229804.tif 000015
【図１４】
2013229804.tif 000016
【図１５】
2013229804.tif 000017